(57)【要約】【課題】  容器本体に対して蓋体を開閉回動可能にヒンジ結合するレフィール容器において、ヒンジがレフィール容器の後方に突出しないようにすると共に、容器本体を単品で取扱うことができるようにすることによって、取扱いし易く、外観がシンプルで、そして容器本体に対する内容物の充填作業の作業性を高める。【解決手段】  容器本体２と蓋体８とから成るレフィール容器において、蓋体８の周壁９の上端部から垂下設したヒンジ板片１２の途中にヒンジ１３を横設し、このヒンジ１３よりの下位のヒンジ板片１２部分を、容器本体２に係合結合することにより、容器本体２と蓋体８とを、側方に突出していないヒンジ１３を介して結合し、これにより他の物品に引っ掛かる突出物のない、シンプルな外観を得ると共に、容器本体２に対する良好な取扱い性を得る。【選択図】図３
2005035627.tif 000002
【特許請求の範囲】
【請求項１】
内容物を収納する有底短筒状の容器本体(2)と、該容器本体(2)にヒンジ(13)を軸として開閉回動可能に組付く有頂短筒状の蓋体(8)とから成り、前記容器本体(2)を、外周面前側に係止突片(4)を突設した筒壁(3)の外周面後側に、上面に第１係合凹部(6)を、また下面に第２係合凹部(7)をそれぞれ凹設した係合横板片(5)を突出設して構成し、前記蓋体(8)を、外周面前側に、前記係止突片(4)と係止して、前記蓋体(8)を閉姿勢に保持する係止片(11)を設けた周壁(9)の外周面後側上端部から、途中にヒンジ(13)を横設したヒンジ板片(12)を垂下設し、前記ヒンジ(13)よりも下側のヒンジ板片(12)の内側面の上位に、下面先端部に前記第１係合凹部(6)に係合する第１係合突片(15)を突設した第１係合板片(14)を、また下位に、上面先端部に前記第２係合凹部(7)に係合する第２係合突片(17)を突設した第２係合板片(16)をそれぞれ突出設して構成したレフィール容器
【請求項２】
第1係合凹部(6)を係合横板片(5)の中央部に位置させると共に、二つの第２係合凹部(7)を、前記係合横板片(5)の両側部に位置させ、また第１係合板片(14)と第２係合板片(16)とを上下に対向配置し、第１係合突片(15)を前記第１係合板片(14)の中央部に位置させると共に、二つの第２係合突片(17)を前記第２係合板片(16)の両側部に位置させ、さらに前記第１係合突片(15)に下方から対向する部分に欠部を設けて、前記第２係合板片(16)を２分割構造とした請求項１記載のレフィール容器。
【請求項３】
ヒンジ(13)の直下のヒンジ板片(12)の外面部分に、蓋体(8)を一定した開放角度姿勢に突き当たり保持する支え突片(18)を横突条状に設けた請求項１または２記載のレフィール容器。
【請求項４】
コンパクト容器(20)内に、パフ(24)等の化粧用具と一緒に、着脱自在に組付けられて使用する請求項１、２または３記載のレフィール容器。
【発明の詳細な説明】
【技術分野】
【０００１】
本発明は、化粧料収納容器であるレフィール容器、特には、パフ等の化粧用具と一緒にコンパクト容器内に着脱自在に収納されるレフィール容器に関するものである。
【背景技術】
【０００２】
携帯されるレフィール容器、特には、コンパクト容器内にパフ等の化粧用具と一緒に着脱自在に収納されるレフィール容器は、小型であることは当然として、内容物の密閉収納能力が高く、また取扱いが安全で便利であることが要求されている。
【０００３】
この要求を満たす従来技術としては、容器本体に蓋体を一体にヒンジ結合することにより、容器本体に蓋体を蝶番結合したものに比べて、小型化が可能であると共に、内容物の密閉収納を安定して強力に達成して、内容物の安全で良好な使用状態を得ることができ、また密閉を確保した状態で取扱うことができると共に、簡単に開閉できるので、簡単で便利な取扱いを得ることができるものがある。
【特許文献１】特開２００１−２９２８２６号公報
【発明の開示】
【発明が解決しようとする課題】
【０００４】
しかしながら、上記した従来技術にあっては、容器本体と蓋体とを一体に結合するヒンジが、容器の後方に突出するので、単品で取扱う際に、このヒンジが他の物品等に引っ掛かることがあり、これにより取扱いの便利性が低下し、また場合によっては、この突出したヒンジが、レフィール容器の外観体裁を低下させる場合がある、と云う不満があった。
【０００５】
また、内容物を容器本体内に充填収納する際に、内容物の種類（例えば、粉状化粧料）によっては、一体にヒンジ結合された蓋体が邪魔となり、内容物の充填収納作業の作業性を高めることができない、と云う不満があった。
【０００６】
そこで、本発明は、上記した従来技術における問題点を解消すべく創案されたもので、容器本体に対して蓋体を開閉回動可能にヒンジ結合するレフィール容器において、ヒンジがレフィール容器の後方に突出しないようにすると共に、容器本体を単品で取扱うことができるようにすることを技術的課題とし、もって、取扱いし易く、外観がシンプルで、そして容器本体に対する内容物の充填作業の作業性を高めることを目的とする。
【課題を解決するための手段】
【０００７】
上記技術的課題を解決する本発明の内、請求項１記載の発明の手段は、
内容物を収納する有底短筒状の容器本体と、この容器本体にヒンジを軸として開閉回動可能に組付く有頂短筒状の蓋体とから成ること、
容器本体を、外周面前側に係止突片を突設した筒壁の外周面後側に、上面に第１係合凹部を、また下面に第２係合凹部をそれぞれ凹設した係合横板片を突出設して構成すること、
蓋体を、外周面前側に、容器本体の係止突片と係止して、蓋体を閉姿勢に保持する係止片を設けた周壁の外周面後側上端部から、途中にヒンジを横設したヒンジ板片を垂下設し、ヒンジよりも下側のヒンジ板片の内側面の上位に、下面先端部に容器本体の第１係合凹部に係合する第１係合突片を突設した第１係合板片を、また下位に、上面先端部に容器本体の第２係合凹部に係合する第２係合突片を突設した第２係合板片をそれぞれ突出設して構成すること、
にある。
【０００８】
この請求項１記載の発明にあっては、容器本体と蓋体とは、容器本体の第１係合凹部および第２係合凹部に対する、蓋体の第１係合突片および第２係合突片の係合により、ヒンジ結合されるものであるので、ヒンジ結合される以前は、それぞれが単品として取扱われることになる。
【０００９】
それゆえ、容器本体に内容物を充填収納する場合には、容器本体を単品の状態で取扱うので、この内容物の充填収納作業に蓋体が邪魔となることがなく、これにより容器本体に対する内容物の充填収納作業を、良好にかつ効率良く行うことが可能となる。
【００１０】
また、レフィール容器の閉姿勢状態では、ヒンジを横設したヒンジ板片は、ヒンジで屈曲していない垂下姿勢のままであるので、ヒンジが外方に突出することがなく、これによりヒンジが、他の物品と引っ掛かる恐れのある突出物として、レフィール容器の外周面に位置することはない。
【００１１】
さらに、容器本体と蓋体との組付き結合部分は、蓋体のヒンジ板片により覆い隠されるので、一見しただけでは、容器本体と蓋体とを、別々に成形して、複雑な組付き結合部分を有するものであると認識する可能性は殆どなく、あたかも容器本体と蓋体は、ヒンジを介して単純に一体に成形されている、と認識され易いものとなっている。
【００１２】
請求項２記載の発明は、請求項１記載の発明の構成に、容器本体の第１係合凹部を係合横板片の中央部に位置させると共に、二つの第２係合凹部を、係合横板片の両側部に位置させ、また蓋体の第１係合板片と第２係合板片とを上下に対向配置し、第１係合突片を第１係合板片の中央部に位置させると共に、二つの第２係合突片を第２係合板片の両側部に位置させ、さらに前記第１係合突片に下方から対向する部分に欠部を設けて、第２係合板片を２分割構造としたこと、を加えたものである。
【００１３】
この請求項２記載の発明にあっては、第１係合凹部と第２係合凹部とが、上下に対向することなく、横にずれて位置しているので、両係合凹部を設けることによる係合横板片の構造的な強度の低下を抑えることができ、これにより両係合凹部の深さを、充分な係合力を得ることのできる程度とすることができる。
【００１４】
また、両係合凹部および係合突片が、上下に対向することなく、横にずれて位置しているので、係合凹部と係合突片とを係合させる際に、係合横板片が撓み変形して、この係合凹部と係合突片との係合が達成し易くなる。
【００１５】
同様に、第２係合板片が２分割構造となっているので、係合凹部と係合突片とを係合させる際に、第２係合板片が無理なく弾性変形して、この係合凹部と係合突片との係合が達成し易くなる。
【００１６】
請求項３記載の発明は、請求項１または２記載の発明の構成に、ヒンジの直下のヒンジ板片の外面部分に、蓋体を一定した開放角度姿勢に突き当たり保持する支え突片を横突条状に設けたこと、を加えたものである。
【００１７】
この請求項３記載の発明にあっては、きわめて単純な構造の支え突片を突設するだけで、一定した角度の開放姿勢自己保持機能を付与することなく、ヒンジを、最も簡単な線状に肉薄部を形成した構造に成形しても、蓋体を一定した角度の開放姿勢に保持することが可能となり、その分、レフィール容器を使用する際における利便性が高められる。
【００１８】
請求項４記載の発明は、請求項１、２または３記載の発明の構成に、コンパクト容器内に、パフ等の化粧用具と一緒に、着脱自在に組付けられて使用されること、を加えたものである。
【００１９】
この請求項４記載の発明にあっては、容器本体と蓋体とをヒンジ結合する構造としたので、レフィール容器として最適であるように充分な小型化が可能であり、また外周面にヒンジが突出しないので、コンパクト容器側に、この突出したヒンジを避けるための構造部分を形成する必要がなく、その分、コンパクト容器の構造が簡単化する。
【発明の効果】
【００２０】
本発明は、上記した構成となっているので、以下に示す効果を奏する。
請求項１記載の発明にあっては、容器本体を単品の状態で取扱うことができるので、この内容物の充填収納作業に蓋体が邪魔となることがなく、これにより容器本体の自動取扱いを、安全にかつ円滑にそして良好に行うことができ、もって容器本体に対する内容物の充填収納作業を、安定してかつ効率良く行うことができる。
【００２１】
また、ヒンジが、鋭利な突起物として外方に突出することがないので、他の物品との不快な引っ掛かりの発生することがなく、これにより安全で良好な取扱い状態を得ることができる。
【００２２】
さらに、容器本体と蓋体との組付き結合部分は、蓋体の結合部分、すなわちヒンジ板片により覆い隠される状態となるので、容器本体と蓋体とがヒンジを介して一体に成形されたもののような外観体裁となり、その分、外観がシンプルとなる。
【００２３】
請求項２記載の発明にあっては、両係合凹部を設けることによる係合横板片の構造的な強度の低下を抑えることができるので、両係合凹部の深さを、充分な係合力を得ることのできる程度とすることができ、これにより容器本体と蓋体との係合組付き強度を充分に強力にすることができる。
【００２４】
また、両係合凹部および係合突片を、上下に対向させることなく、横にずらして位置させているので、係合凹部と係合突片とを係合させる際に、係合横板片が撓み弾性変形して、この係合凹部と係合突片との係合を達成し易いものとすることができる。
【００２５】
同様に、第２係合板片が２分割構造となっているので、係合凹部と係合突片とを係合させる際に、第２係合板片が無理なく弾性変形して、この係合凹部と係合突片との係合を達成し易いものとすることができる。
【００２６】
請求項３記載の発明にあっては、ヒンジを、最も簡単な線状に肉薄部を形成した構造に成形しても、蓋体を一定した角度の開放姿勢に保持することが可能となり、これによりレフィール容器を使用する際における利便性を充分に高めることができる。
【００２７】
請求項４記載の発明にあっては、容器本体と蓋体とをヒンジ結合する構造としたので、レフィール容器として有効である充分な小型化が可能であり、また外周面にヒンジが突出しないので、コンパクト容器側に、この突出したヒンジを避けるための構造部分を形成する必要がなく、コンパクト容器の構造を簡単化することができる。
【発明を実施するための最良の形態】
【００２８】
以下、本発明の一実施例を、図面を参照しながら説明する。
本発明によるレフィール容器１は、ファンデーション等の化粧料を収納する、有底短筒形状をした容器本体２と、この容器本体２を開閉する、有頂短筒形状をした蓋体８とから構成されている。
【００２９】
有底短筒形状をした容器本体１は、外周面前側に係止突片４を突設した筒壁３の外周面後側に、上面に第１係合凹部６を、また下面に第２係合凹部７をそれぞれ凹設した係合横板片５を突出設して構成されている。
【００３０】
第１係合凹部６（図７参照）は、係合横板片５の基端部中央に一つ設けられているのに対し、第２係合凹部７（図７参照）は、係合横板片５の基端部の両側端部に二つ設けられており、第１係合凹部６に対して第２係合凹部７が下方から対向しないように配置されている。
【００３１】
有頂短筒形状をした蓋体８は、外周面前側に、係止突片４と係止して蓋体８を閉姿勢に保持する係止片１１と、蓋体８の開放操作用の指掛け片１０とを設けた周壁９の外周面後側上端部から、途中にヒンジ１３を横設したヒンジ板片１２を垂下設し、ヒンジ１３よりも下側のヒンジ板片１２部分の内側面の上位に、下面先端部に、第１係合凹部６に係合する第１係合突片１５を突設した第１係合板片１４を、また同じヒンジ板片１２部分の内側面の下位に、上面先端部に、第２係合凹部７に係合する第２係合突片１７を、それぞれ突出設し、さらにヒンジ１３の直下のヒンジ板片１２の外側面箇所に、横突条状に支え突片１８を突出設して構成されている。
【００３２】
第１係合板片１４（図８参照）は、ヒンジ板片１２の全幅範囲に亘って設けられているが、第１係合突片１５を、その中央部だけに設けており、第２係合板片１６（図８参照）は、中央部を欠部として２分割された横板片構造で、第１係合板片１４の両側部に下方から対向する姿勢で設けられており、第２係合突片１７を、それぞれの全幅範囲に亘って設けている。
【００３３】
なお、１９は、容器本体１に対して蓋体８を密に組付けるための柔軟弾性材料製のパッキンで、容器本体２の筒壁３に密に外嵌するように、周壁９の内側に取付け固定されている。
【００３４】
容器本体２と蓋体８とは、容器本体２の両係合凹部６、７に蓋体８の両係合突片１５、１７を係合させることにより、ヒンジ結合された状態で組付けられることになるが、この容器本体２に対する蓋体８の組付けは、容器本体２に対する化粧料等の内容物の充填収納を完了させた状態で行うのがよい。
【００３５】
例えば、図５に示すように、ヒンジ板片１２を二点鎖線図示状態にしたまま、蓋体８を容器本体２に、係止突片４に係止片１１を係止させた密閉状態で組付けることにより、容器本体２と蓋体８とを、一定した組付き姿勢に不動に保持し、この状態から、二点鎖線図示状態のヒンジ板片１２部分を、ヒンジ１３を軸として、係合横板片５に向かって揺動変位させ、この揺動変位により両係合凹部６、７と両係合突片１５、１７とを係合させて、容器本体２と蓋体８との組付けを達成する。
【００３６】
この両係合凹部６、７と両係合突片１５、１７とが係合する際、第２係合板片１６は、左右に２分割した構造であるので、不正な永久変形を生じることなく、比較的簡単に強引な撓み弾性変形をすることができ、また両係合突片１５、１７が上下に対向していないので、係合を達成する際の、係合横板片５および両係合板片１４、１６の撓み弾性変形が、相互に干渉し合うことなく、略独立して行われるので、両係合凹部６、７と両係合突片１５、１７との係合は、比較的容易に達成することができる。
【００３７】
また、係合横板片５は、その上面と下面とに第１係合凹部６と第２係合凹部７とを凹設しているが、この第１係合凹部６と第２係合凹部７とは、上下に対向することなく、左右にずれて配置されているので、両係合凹部６、７を設けることにより、係合横板片５の厚みが極端に薄くなると云うことがなく、係合横板片５の不都合な機械的強度の低下の発生を防止すると共に、両係合凹部６、７を、充分な係合強度を発揮することのできる深さとすることができる。
【００３８】
両係合凹部６、７と両係合突片１５、１７とを係合させて、容器本体２に蓋体８を組付け結合した後は、蓋体８は容器本体２に対してヒンジ１３を回動軸として、開閉回動するが、開放回動された蓋体８は、１８０°手前の回動角度位置で支え突片１８に突き当たって、その回動角度位置に保持される（図４および図６参照）。
【００３９】
図９は、本発明によるレフィール容器１を、コンパクト容器２０内に着脱自在に組付けた使用例を示すもので、レフィール容器１は、パフ２４と横に並んだ配置で一緒に、コンパクト蓋体２３を蝶番結合したコンパクト本体２１内に組付けられている。
【００４０】
コンパクト本体２１内に組付けられたレフィール容器１は、蓋体８を、パフ２４が収納されている側とは反対側に回動開閉させる向きで組付けられており、この蓋体８の開閉回動方向側のコンパクト本体２１の側壁上面部分には、支え突片１８と一緒に、または単独で、開放回動した蓋体８を、その姿勢に支えて保持する支え斜面２２が形成されている。
【図面の簡単な説明】
【００４１】
【図１】本発明の一実施例を示す、全体平面図。
【図２】図１に示した実施例の、後面図。
【図３】図１に示した実施例の、縦断側面図。
【図４】図１に示した実施例の、蓋体を開放した縦断側面図。
【図５】図１に示した実施例の、容器本体と蓋体との結合部の拡大縦断側面図。
【図６】図１に示した実施例の、容器本体と蓋体との結合部の開放状態での拡大縦断側面図。
【図７】図１に示した実施例の、容器本体の係合横板片の拡大斜視図。
【図８】図１に示した実施例の、蓋体の両係合板片の拡大斜視図。
【図９】図１に示した実施例を、コンパクト容器に組付けた状態を示す、全体斜視図。
【符号の説明】
【００４２】
１  ；  レフィール容器
２  ；  容器本体
３  ；  筒壁
４  ；  係止突片
５  ；  係合横板片
６  ；  第１係合凹部
７  ；  第２係合凹部
８  ；  蓋体
９  ；  周壁
１０；  指掛け片
１１；  係止片
１２；  ヒンジ板片
１３；  ヒンジ
１４；  第１係合板片
１５；  第１係合突片
１６；  第２係合板片
１７；  第２係合突片
１８；  支え突片
１９；  パッキン
２０；  コンパクト容器
２１；  コンパクト本体
２２；  支え斜面
２３；  コンパクト蓋体
２４；  パフ
【図１】
2005035627.tif 000003
【図２】
2005035627.tif 000004
【図３】
2005035627.tif 000005
【図４】
2005035627.tif 000006
【図５】
2005035627.tif 000007
【図６】
2005035627.tif 000008
【図７】
2005035627.tif 000009
【図８】
2005035627.tif 000010
【図９】
2005035627.tif 000011